(57)【特許請求の範囲】
【請求項１】
薬剤を収容する薬剤収容部と、前記薬剤収容部に連結された蓋体部とからなり、前記蓋体部に複数の立板部が放射状に設けられ、これらの立板部によって液体案内用の通過孔が形成されると共に、前記通過孔を経由して前記液体が前記薬剤収容部の前記薬剤に接触させられ、かつ前記複数の立板部の放射中心が前記蓋体部の中心に対して偏位して配置されている、薬剤溶出装置。
【請求項２】
前記蓋体部が、外周側の立板部と、これよりも高さの低い内側の立板部とを有し、この内側の立板部によって形成された凹部に前記液体が収集される、請求項１に記載の薬剤溶出装置。
【請求項３】
前記立板部間の液体受容面積が前記蓋体部の周方向において異なっていて、液体受容面積の大きい側が前方に向けられる、請求項１に記載の薬剤溶出装置。
【請求項４】
便器の排水口に取り付けられるトラップ体に対して装着される、請求項１に記載の薬剤溶出装置。
【発明の詳細な説明】
【０００１】
【発明の属する技術分野】
本発明は、例えば小便器への尿石の固着を防止する薬剤溶出装置に関するものである。
【０００２】
【従来の技術】
従来、小便器の排水口の部分においては、例えば、スリットを有するスパッド等を設けることによって、尿や洗浄水等の液体（以下、尿を代表例として述べるが、液体と総称することもある）の排水量を維持しながら、排水口を隠蔽している。
【０００３】
このような小便器の排水口の周囲及びこの排水孔への排水経路等においては、尿の中に含まれているカルシウム等を主成分とする尿石が付着して固化し易く、これが小便器の美観を損なうと共に、悪臭を生じさせる原因となっている。
【０００４】
そこで、こうした尿石が小便器内に固着するのを防止するために、主として固形の尿石固着防止用の薬剤を排水孔付近に直接設置したり、或いはこの薬剤を収容容器に入れて設置し、この薬剤を尿と接触させ、尿石成分を溶かして排出するのが一般的である。
【０００５】
しかし、尿石固着防止用の薬剤を小便器の排水口付近に設置した際、薬剤又は薬剤収容容器が小便器の内側底面から飛び出している状態になっていているために、小便器内に尿を放出された時に、薬剤及び薬剤収容容器等に接触した尿が小便器の外部に飛散し、小便器を設置したトイレの床面を汚染し易くなる。
【０００６】
この結果、トイレの床面が衛生上好ましくない状態となり、その衛生状態を保つために、尿が接触した床面を頻繁に清掃する必要が生じて、トイレ清掃の負担が増えてしまう。
【０００７】。
そのために、薬剤収容容器に接触した尿が小便器の外へ飛散するのを防止し、衛生状態を保つために、薬剤収容容器の上部に蓋体を設け、この蓋体にその中心から放射状に立板部を複数枚形成し、各立板部間に尿が通過する通過孔をそれぞれ形成して尿を薬剤の側へ案内するように構成した尿石固着防止用の薬剤溶出装置が特許第２６７８５４３号において提案されている。
【０００８】
この溶出装置においては、液体案内用の蓋体に形成した立板部の側面に接触した尿をこの立板部間で跳ね返らせながら薬剤収容容器に案内し、この案内された尿を薬剤に接触させた後に、小便器の排水口内に流れ込ませる。
【０００９】
そして、この薬剤溶出装置を小便器の内側底部に固定するために、小便器の排水口回りに周縁が小便器の内壁に密接してスパッド（又はトラップ蓋）を取り付ける。
【００１０】
【発明が解決しようとする課題】
しかしながら、上記の薬剤溶出装置においては、液体案内用の蓋体の中央を中心として立板部が放射状に配置されているために、立板部及び立板部間の液体通過孔は蓋体の全周に亘って全て同じ大きさでしかなく、小便器に設置した時に、特に尿の流入量（受容量又は接触量）が多い前方側では尿の受容又は案内を十分に行えない。
【００１１】
また、立板部が、蓋体の中央を中心として放射上に形成されているために、立板部を含めた蓋体の成形の際に、立板部の寸法や配置を厳密に決める必要があり、蓋体を設計する上での自由度が乏しくなり、しかも蓋体の成形精度を保持する必要がある。
【００１２】
本発明は、上記のような状況に鑑みてなされたものであって、その目的は、蓋体部の液体案内用の通過孔を通して液体を確実にかつ効率よく案内して薬剤に十分に接触させると共に、蓋体部の設計の自由度を向上させる薬剤溶出装置を提供することにある。
【００１３】
【課題を解決するための手段】
即ち、本発明は、薬剤を収容する薬剤収容部と、前記薬剤収容部に連結された蓋体部とからなり、前記蓋体部に複数の立板部が放射状に設けられ、これらの立板部によって液体案内用の通過孔が形成されると共に、前記通過孔を経由して前記液体が前記薬剤収容部の前記薬剤に接触させられ、かつ前記複数の立板部の放射中心が前記蓋体部の中心に対して偏位して配置されている薬剤溶出装置に係るものである。
【００１４】
本発明によれば、複数の立板部の放射中心が蓋体部の中心に対して偏位して配置されることによって、これらの立板部によって形成される液体案内用の通過孔の大きさが蓋体部の周方向において異なり、それぞれの通過孔において液体受容又は案内量に差が生じるために、液体受容又は案内量が多い通過孔のある立板部を多量の液体が流入する側（特に前方側）に配置することができ、これによって液体を確実にかつ効率よく受け入れて案内し、薬剤に十分に接触させることができる。
【００１５】
また、前記蓋体部を設計する際に、蓋体部の中心に対して偏位した位置であれば、立板部の放射中心を任意の位置に設定できるために、設計の自由度を増すことができ、ひいては蓋体部の成形も容易となる。
【００１６】
【発明の実施の形態】
本発明においては、液体をより確実に受容しかつ薬剤に速やかに接触させるために、前記蓋体部が、外周側の立板部と、これよりも高さの低い内側の立板部とを有し、この内側の立板部によって形成された凹部に前記液体が収集されるように構成すると、この凹部ではその高さが低いために下部の薬剤との距離が短くなり、液体を効率的に収集して薬剤に対し速やかに接触させることができる。
【００１７】
また、上述したことから、前記立板部間の液体受容面積が前記蓋体部の周方向において異なっていて、液体受容面積の大きい側が多量の液体が流入し易い前方に向けられるのが望ましい。
【００１８】
また、この薬剤溶出装置は、便器の排水口に取り付けられるトラップ体（トラップ蓋）に対して装着されるのが望ましい。
【００１９】
以下に、本発明の好ましい実施の形態を図面の参照下に詳しく説明する。
【００２０】
本実施の形態においては、図１〜図５に示すように、薬剤溶出装置１５は、主として、液体案内用の蓋体部２と、これを連結した薬剤収容部７とからなっている。
【００２１】
薬剤収容部７は、図５に明示するように、尿石固着防止用の薬剤６（図２参照）を収めるバスケット状部分の側面及び底面に設けた複数の通過孔２８を通して、尿や洗浄水等の液体（以下、尿を代表例として説明する。）に溶け出した薬剤６が流出するような構造を成している。また、外方に突き出したリング状フランジには、薬剤収容部７を蓋体部２と連結するための逆Ｌ型の突起部１０が例えば３個所に設けられている。
【００２２】
この突起部１０は、図２に示すように、開口部２４上からこれを覆うように配されるほぼ円形の蓋体部２に設けられた取付部９に弾性的に凹凸嵌合することによって、蓋体部２を薬剤収容部７に連結し、薬剤収容部７と蓋体部２とを一体化する。
【００２３】
次に、蓋体部２は、図１〜図３に示すように、液体案内用の立板部１を一体に有している。この立板部１は、蓋体部２の円周方向に配列され、全体として花弁形状に放射状に設けられていて、蓋体部２の円周方向において立板部間の間隔がそれぞれ異なり、かつ径方向においても立板部のそれぞれの長さが変化している。
【００２４】
具体的には、便器に取り付けられる際に、前方に向けられるリブ状立板部１ａは間隔及び長さが最大であり、後方に向けられるリブ状立板部１ｃは間隔及び長さが最小であり、これらの立板部１ａから１ｃに向けて間隔及び長さが周方向で漸次小さくなっている。更に、蓋体部２の中央部にも高さの低いリブ状立板部１ｂが立板部１ａ、１ｃと連設状態で放射中心を共通にやはり放射状に設けられているが、図２及び図３に示すように蓋体部２の中央部において、凹部３を形成している。立板部間には尿等の液体通過孔８ａ、８ｂ、８ｃがそれぞれ形成されているが、このうち立板部１ａから１ｃかけては液体通過孔の大きさ、幅及び長さは８ａから８ｃにかけて小さくなっている。
【００２５】
また、立板部１ａ、１ｂ及び１ｃからなる立板部１において立板部間に形成されるそれぞれの通過孔８ａ、８ｂ及び８ｃにおいては、放出された尿１１が、これらの通過孔８ａ、８ｂ及び８ｃに直接入ったり、それぞれの立板部１ａ、１ｂ及び１ｃの側面部等に接触して反射されながら薬剤６を収容した薬剤収容部７に向かって各通過孔から流出するために、尿１１が小便器１６（図７及び図８参照）の外部へ跳ね返ることなく、薬剤収容部７に向けて効率よく案内される。
【００２６】
その後に、流出した尿１１は収容部７に収容された尿石固着防止用の薬剤６に接触するために、尿中の尿石成分は薬剤６によって溶解され、小便器１６内に固着することなく、収容部７の底面及び側面に設けられた複数の通過孔２８から、排水口部２０（図７参照）に流れ込んでいく。
【００２７】
また、図２に示すように、液体案内用の蓋体部２の中央部には、主に立板部１ｂによって凹部３が形成されているが、この凹部３の通過孔８ｂの液体受容面積は、他の立板部１ａ及び１ｃによって構成される通過孔８ａ及び８ｃの液体受容面積よりも小さく、更に、立板部１ｂの高さは他の立板部１ａ及び１ｃの高さよりも低い。
【００２８】
従って、通過孔８ａ及び８ｃの液体受容面積に比べて、通過孔８ｂの液体受容面積が比較的小さいために、この凹部３には尿１１が一時的に収集されるが、立板部１ｂの高さが立板部１ａ及び１ｃの高さより低くて、尿１１の収集位置が下部の尿石固着防止用の薬剤６により近いために、凹部３に尿１１を効率よく収集できるだけでなく、収集された尿１１が比較的速やかにかつ確実に通過孔８ｂを通過して薬剤収容部７内の薬剤６に対しその上面全体から十分に接触することになる。また、凹部３の存在によって尿の跳ね返りも少なくなる。
【００２９】
更に、小便器洗浄用の洗浄水が接触する際には、各通過孔８ａ、８ｂを通して洗浄水を十分に導いて、洗浄されるべき被洗浄面に有効に接触させることができるが、これに加えて、通過孔８ｂのある立板部１ｂの部位においては凹部３の存在により、洗浄水が一時的に収集されるために、通過孔８ｂ内に洗浄水がより長く接触し、小便器内の衛生状態を保ち易い。
【００３０】
本実施の形態において、注目すべきことは、図１（ｂ）に示すように、円形の蓋体部２の直径線上において、蓋体部２の中心２２に対してリブ状立板部１の放射中心２３が距離ｄだけ偏位していることである。例えば、距離ｄを５ｍｍとして蓋体部中心２２から放射中心２３をかなりずらしているために、上述したように、立板部１ａ、１ｂ及び１ｃの形状がそれぞれ異なり、これに伴って、これらの立板部１ａ、１ｂ及び１ｃによって形成される通過孔８ａ、８ｂ及び８ｃの大きさに対応する液体受容面積もそれぞれ異なる。
【００３１】
従って、図６〜図８に示すように、液体通過孔の内、より大きい（又は最大の）幅がＷ及び長さｇの通過孔８ａを、尿１１がより多く接触する小便器への尿１１の放出側（前方）に向けて配置し、また、より小さい（又は最小の）幅ｔ又はＴ及び長さｆの通過孔８ｃを小便器の奥側（後方）に配置することによって、尿１１がより多く接触する部分の通過孔の受容面積を大きくして、より効率的かつ確実に、尿１１を通過孔の下部にある薬剤収容部７に送り込むことができる。
【００３２】
本実施の形態においては、上記の距離ｄを例えば５ｍｍとしたが、これは成型上の寸法公差（誤差）ではなく、上述した作用効果を実現するために積極的に設けたものであり、例えば、液体案内用の蓋体部２の外径ｈを７０ｍｍとした場合には、成形上の寸法公差は０．１％＝０．０７ｍｍとなるが、これよりも上記の距離ｄ（５ｍｍ）はずっと大きな値となる。
【００３３】
一例として、各部分の寸法として、ｈ＝８０ｍｍ、Ｗ＝６．２８ｍｍ、ｇ＝２３ｍｍ、Ｔ＝４．２１ｍｍ、ｔ＝２．９３ｍｍ、ｆ＝１０ｍｍ及びｄ＝５ｍｍとしてよい。この時の寸法公差は０．０８ｍｍであり、放射中心のずれである距離ｄが寸法公差よりもずっと大きくなっている。
【００３４】
次に、液体案内用の蓋体部２の中心２２から立板部１の放射中心２３までの距離がｄを５ｍｍとした場合に、立板部１ａ、１ｂ及び１ｃを連結してなる液体案内用の蓋体部２においては、図４（ａ）に示すように、外周部の立板部１ａの高さと１ｃの高さとは同じであるが、例えば、図４（ｂ）に示すように、立板部１ａの高さを１ｃの高さよりも距離ｅだけ低くしてもよい。
【００３５】
このように、尿１１が多量に接触するリブ状立板部１ａの高さを所定の距離ｅだけ低くすることに伴って、通過孔８ａを形成する立板部１ａの高さが小さくなり、全体として蓋体部２の上面が前方に向かって幾分傾斜した姿勢となるため、放出された尿をより受け入れ易くなる。但し、距離ｅを大きくし過ぎると、立板部１ａが低くなりすぎ、それに伴って、尿１１の反射板としての立板部１ａの機能が低下してしまうので、ｅの値は適切なものに保たねばならない。
【００３６】
また、立板部１ａ、１ｂ及び１ｃからなる蓋体部２の底面には、取付部９と逆Ｌ型突起部１０とにより、液体案内用の蓋体部２と薬剤収容部７との連結を容易に行うために、図２に示すように、蓋体部２の底面において底面凹部５が設けられているが、この凹部５が存在することによって、上記の連結作業時に作業空間が確保され、薬剤収容部７の突起部１０を蓋体部２の取付部９に嵌合し易くなる。
【００３７】
そして、本実施の形態による薬剤溶出装置１５は、蓋体部２の外観が上記した立板部１ａ、１ｂ、１ｃによって全体として花弁状の独特の外観を呈し、また大きさの異なる立板部１ａ及び１ｃにより周方向で立板部の大きさが異なるようにその放射中心が偏位していることも外観を一層独特なものとしている。
【００３８】
図６、図７及び図８に示すように、小便器１６の内側底面の排水口部２０にトラップ蓋１３をほぼ水平に取り付けるが、このトラップ蓋１３は排水口部２０に対応した形状を有し、また、薬剤溶出装置１５の薬剤収容部７を嵌め込んで蓋体部２と排水口部２０とを連通させるための開口部１２有する平板部１４と、この平板部１４の下面に平板部１４と一体になるように設けられた取付脚部１７とから構成されている。
【００３９】
ここで、小便器１６の所定の箇所にトラップ蓋１３を取り付けた際に、平板部１４の周辺部２５が排水口部２０の上端内壁面に密着する構造であるために、小便器１６内に放出された尿１１又は洗浄水等が、トラップ蓋１３の周辺部２５と小便器１６との間から漏れることなく、薬剤溶出装置１５の通過孔８ａ、８ｂ、８ｃ及び２８並びに開口部１２等を通って排水口部２０にスムーズに流れ込む。
【００４０】
また、取付脚部１７は、小便器の排水口部２０内の排水管２１の外側に嵌め込むことによって確実に固定されるために、流れ込む尿１１及び洗浄水等によって一時的に排水口部２０内の水位が上昇しても、その水圧でトラップ蓋１３が浮き上がることなく、排水口部２０の通路１８を通って排水管２１内に尿１１又は洗浄水等が流入する。
【００４１】
このトラップ蓋１３においては、開口部１２の大きさに応じたサイズの薬剤溶出装置１５を取り付けることによって、従来のトラップ蓋等の形状を変更することなく装置１５を便器に固定することができ、トラップ蓋の形状の変更に伴う工程及びコストの増加を少なくして、比較的安価ともなる。
【００４２】
上述したように、本実施の形態によれば、複数のリブ状立板部１の放射中心２３が尿等の案内用蓋体部２の中心２２に対して偏位して配置されているために、これらの立板部１によって形成される尿１１等の案内用の通過孔が８ａ、８ｂ、のように円周方向において異なり、またそれぞれの通過孔が８ａ、８ｂ及び８ｃにおいて尿１１等の案内量に差が生じるために、尿１１等がより多く蓋体部２に接触する側（前方）に、より大きな案内量の通過孔８ａを配置することができ、蓋体部２に接触する尿１１等の跳ね返りを少なくして効率よくかつ確実に尿石固着防止用の薬剤６に案内することができる。
【００４３】
また、蓋体部２の設計の際に、蓋体部２の直径線上の中心２２に対して任意の位置に選択的に放射中心２３を設定できるために、設計の自由度を増すことができ、またプラスチック等で成形する場合の成形精度の許容範囲も拡大する。
【００４４】
また、薬剤溶出装置１５の小便器１６への装着においては、トラップ蓋１３の開口部１２に薬剤溶出装置１５の薬剤収容部７をはめ込むだけでよいので、簡単に装着することができる。
【００４５】
また、蓋体部２の中央部が高さの低い立板部１ｃによって凹部３となっているため、尿１１がこの凹部３内に集まり易く、小便器１６の外部に尿１１が飛散しにくい。
【００４６】
以上に説明した実施の形態は、本発明の技術的思想に基づいて更に変形が可能である。
【００４７】
例えば、蓋体部２の中心に対するリブ状立板部１の放射中心の位置は種々に変更してよく、またそれらのサイズ、形状、材質等は変更可能である。これは、薬剤収容部７その他各部についても同様である。
【００４８】
また、上述の薬剤溶出装置は、例えば、室内用の噴水等に適用してもよく、例えば放出された噴水の液体を受け、上述した薬剤に接触させ、薬剤による処理を行ってもよい。
【００４９】
【発明の作用効果】
上述したように、本発明によれば、複数の立板部の放射中心が蓋体部の中心に対して偏位して配置されることによって、これらの立板部によって形成される液体案内用の通過孔の大きさが蓋体部の周方向において異なり、それぞれの通過孔において液体受容又は案内量に差が生じるために、液体受容又は案内量が多い通過孔のある立板部を多量の液体が流入する側（特に前方側）に配置することができ、これによって液体を確実にかつ効率よく受け入れて案内し、薬剤に十分に接触させることができる。
【００５０】
また、前記蓋体部を設計する際に、蓋体部の中心に対して偏位した位置であれば、立板部の放射中心を任意の位置に設定できるために、設計の自由度を増すことができ、ひいては蓋体部の成形も容易となる。
【図面の簡単な説明】
【図１】本発明の実施の形態による薬剤溶出装置の平面図（ａ）とその寸法等を説明するための同様の平面図（ｂ）である。
【図２】同、図１のＡ−Ａ’線断面図である。
【図３】同、斜視図である。
【図４】同、リブ状立板部の２種類の側面図である。
【図５】同、薬剤収容部の斜視図である。
【図６】同、薬剤溶出装置をトラップ蓋に装着する際の斜視図である。
【図７】同、薬剤溶出装置を固定したトラップ蓋を小便器に装着した時の断面図である。
【図８】同、装着状態の前方からの斜視図である。
【符号の説明】
１ａ、１ｂ、１ｃ・・・リブ状立板部、
２・・・液体案内用の蓋体部、
３・・・凹部、
５・・・底面凹部、
６・・・薬剤、
７・・・薬剤収容部、
８ａ、８ｂ、８ｃ、２８・・・通過孔、
９・・・取付部、
１０・・・逆Ｌ型突起部、
１１・・・尿、
１２、２４…開口部、
１３・・・トラップ蓋、
１４・・・平板部、
１５・・・薬剤溶出装置、
１６・・・小便器、
１７・・・取付脚部、
１８・・・通路、
２０・・・排水口部、
２１・・・排水管、
２２・・・蓋体部の中心、
２３・・・リブ状立板部の放射中心、
ｄ・・・液体案内用の蓋体部の中心とリブ状立板部の放射中心との距離、
ｅ・・・リブ状立板部１ａと１ｂとの高低差、
ｆ・・・通過孔８ｃの長さ、
ｇ・・・通過孔８ａの長さ、
ｈ・・・液体案内用の蓋体部２の外径、
Ｔ・・・通過孔８ｃの最大幅、
ｔ・・・通過孔８ｃの最小幅、
Ｗ・・・通過孔８ａの最大幅
【図１】
0003545748.tif 000002
【図２】
0003545748.tif 000003
【図３】
0003545748.tif 000004
【図４】
0003545748.tif 000005
【図５】
0003545748.tif 000006
【図６】
0003545748.tif 000007
【図７】
0003545748.tif 000008
【図８】
0003545748.tif 000009